(57)【要約】      （修正有）【課題】来店日を顧客が自由に選択することができ、かつ、店舗の特売日などの広告等が分かり、顧客自らが来店予定を立てることができ、作成側の作成時間と作成コストを大幅に軽減し、作成にあたってミスが生じ難いビンゴゲーム式ポイントカードを提供する。【解決手段】カード本体２と、このカード本体２に表記された、確認印３が付与される指定無し印付与欄４が、３縦列×３横列の配列とされてなるビンゴ部５ａ、５ｂと、前記カード本体２に設けられたカレンダー部８と、を備えるとともに、前記指定無し印付与欄４は、顧客に来店日を指定する来店日指定表記、購入する商品を指定する商品指定表記などの指定表記が無い、顧客が指示する箇所（指定無し印付与欄４）に前記確認印が付与できるようにした印付与欄である。【選択図】図１
2015074220.tif 000002
【特許請求の範囲】
【請求項１】
カード本体と、
このカード本体に表記された、顧客が買い物をした場合に確認印が店舗側によって付与される印付与欄が、２横列×２縦列以上で配列されてなるビンゴ部と、
前記カード本体に設けられた、月の日日が表記されてなるカレンダー部と、を備えるとともに、
前記印付与欄に付与された前記確認印の縦列、横列、斜め列の揃いをビンゴの成立数として、該ビンゴの成立数に応じてポイントが与えられるものであり、
前記印付与欄は、顧客に来店日を指定する来店日指定表記、購入する商品を指定する商品指定表記などの指定表記が無い、顧客が指示する箇所に前記確認印が付与できるようにした指定無し印付与欄であることを特徴とするビンゴ型ポイントカード。
【請求項２】
カード本体と、
このカード本体とは別体である別のカード本体
前記カード本体に表記された、顧客が買い物をした場合に確認印が店舗側によって付与される印付与欄が、２横列×２縦列以上で配列されてなるビンゴ部と、
前記別のカード本体に設けられた、月の日日が表記されたなるカレンダー部と、を備えるとともに、
前記印付与欄に付与された前記確認印の縦列、横列、斜め列の揃いをビンゴの成立数として、該ビンゴの成立数に応じてポイントが与えられるものであり、
前記印付与欄は、顧客に来店日を指定する来店日指定表記、購入する商品を指定する商品指定表記などの指定表記が無い、顧客が指示する箇所に前記確認印が付与できるようにした指定無し印付与欄であることを特徴とするビンゴ型ポイントカード。
【請求項３】
前記印付与欄に、前記指定表記ではない印付与欄毎に異なる数字、文字、記号、絵柄などの選択表記が表記され、
前記確認印を付与される際に、顧客が前記選択表記を指示することによって、顧客の指示する箇所に前記確認印が付与できるようにしたことを特徴とする請求項１、２のいずれか１項に記載のビンゴ型ポイントカード。
【請求項４】
前記選択表記が数字、ひらがなの５０音字かカタカナの５０音字、あるいはαベッド文字のいずれかであることを特徴とする請求項３記載のビンゴ型ポイントカードである。
【請求項５】
前記印付与欄が奇数の横列×該奇数の縦列であり、そのうちの前記ビンゴ部の中央に位置する中央欄は、予め前記確認印が付与されているものとして、何らかの表記がされているあるいは何らかの表記がされることを特徴とする請求項１〜４のいずれか１項に記載のビンゴ型ポイントカード。
【請求項６】
前記ビンゴ部が前記指定無し印付与欄と、顧客に来店日を指定する来店日指定表記がされた来店日指定印付与欄とが混在する形態とされ、前記来店日指定印付与欄の数が６か所以内であり、前記指定無し印付与欄＋前記来店日指定印付与欄＋前記確認印が予め付与されているものとした前記中央欄がある場合は該中央欄の合計が７か所以上であることを特徴とする請求項１〜５のいずれか１項に記載のビンゴ型ポイントカード。
【請求項７】
前記印付与欄に、前記確認印が予め付与済みであるとした扱いの印付与済み欄が設けられ、この印付与済み欄の数によって、一カ月の来店日数が７日〜１５日、あるいは一カ月の来店回数が７回〜１５回とし、前記７日〜１５日の来店日数あるいは前記７回〜１５回の来店回数によって、オールビンゴが達成可能としたことを特徴とする請求項１〜６のいずれか１項に記載のビンゴ型ポイントカード。
【発明の詳細な説明】
【技術分野】
【０００１】
本発明は、店舗で買い物をした商品購入者（顧客）がレジ等で提示して、来店購入確認欄に押印などの来店購入確認印を店側から記してもらい、来店購入確認印で取得された横列、縦列、斜め列のビンゴの成立数に応じてポイント数を獲得するないし付与する使用態様のビンゴゲーム式ポイントカードに関する。
【背景技術】
【０００２】
従来のビンゴゲーム式ポイントカードとして、二つ折のカード本体と、このカード本体の一方の側に表示された、３横列×３縦列のマトリックス形態の配列とされた、９個の日日が表記された表記欄からなる、第１の日日表記欄群と第２の日日表記欄群を有し、カード本体の他方の側にその月のカレンダーが表記され、このカレンダーの日日で第１の日日表記欄群と第２の日日表記欄群に表記されている日日である箇所には、それを示すマークが表記され、特売日には「〇〇特売日」というような表記がされている、ビンゴゲーム式ポイントカードが知られている。（例えば、特許文献１）
【先行技術文献】
【特許文献】
【０００３】
【特許文献１】特開２０１３−１４４４５５号公報
【発明の概要】
【発明が解決しようとする課題】
【０００４】
前述した特許文献１の発明は、以下に述べるような欠点を有するものであった。
（１）第１の日日表記欄群、第２の日日表記欄群の日日表記欄に日日が表記されているので、その日日の日に店舗に来店して買い物をしなければ、その日日表記欄に押し印をもらえないので、どうしても都合の付かない人、忘れた人などはビンゴが成立しないという、悔しい思いをさせてしまうという欠点を有していた。
（２）ビンゴを成立させるためには、予定や行動計画を日日表記欄の日日を最優先させなければならず、日日の予定、週の予定、月の予定が立て難いという欠点を有するものであった。
（３）ビンゴゲーム式ポイントカードを作成する側は、日日表記欄に表記する日日をいつのするのか、その配列をどのようにするのか、特売日等の店舗のイベントを含めて考えなければならず、作成に時間とコストがかかり、また作成に当たってミスが生じる危険があるという欠点を有するものであった。
【０００５】
本発明は以上のような従来技術の欠点に鑑み、来店日を顧客が自由に選択することができ、かつ、店舗の特売日などの広告等が分かり、顧客自らが来店予定を立てることができ、作成側の作成時間と作成コストを大幅に軽減し、作成にあたってミスが生じ難いビンゴゲーム式ポイントカードを提供することを目的としている。
【課題を解決するための手段】
【０００６】
上記目的を達成するために、本発明は次のような構成となっている。
＜請求項１記載の発明＞
カード本体と、
このカード本体に表記された、顧客が買い物をした場合に確認印が店舗側によって付与される印付与欄が、２横列×２縦列以上で配列されてなるビンゴ部と、
前記カード本体に設けられた、月の日日が表記されてなるカレンダー部と、を備えるとともに、
前記印付与欄に付与された前記確認印の縦列、横列、斜め列の揃いをビンゴの成立数として、該ビンゴの成立数に応じてポイントが与えられるものであり、
前記印付与欄は、顧客に来店日を指定する来店日指定表記、購入する商品を指定する商品指定表記などの指定表記が無い、顧客が指示する箇所に前記確認印が付与できるようにした指定無し印付与欄であることを特徴とするビンゴ型ポイントカードである。
【０００７】
「確認印・・・付与」とは、ゴム印などの押印、手によるサイン、プリンターなどの印刷、穿孔印、プレスにより凸凹に変形させる凸凹印、ワッペンなどの貼付け付与など多様形態のものを含むものである。
「指定無し印付与欄」は、表記の無い空白欄でもよいし、顧客に来店日を指定する来店日指定表記、購入する商品を指定する商品指定表記などの指定表記ではない、何らかの文字、記号、図・絵柄、模様などが表記されてなるものでもよい。
【０００８】
＜請求項２記載の発明＞
カード本体と、
このカード本体とは別体である別のカード本体
前記カード本体に表記された、顧客が買い物をした場合に確認印が店舗側によって付与される印付与欄が、２横列×２縦列以上で配列されてなるビンゴ部と、
前記別のカード本体に設けられた、月の日日が表記されたなるカレンダー部と、を備えるとともに、
前記印付与欄に付与された前記確認印の縦列、横列、斜め列の揃いをビンゴの成立数として、該ビンゴの成立数に応じてポイントが与えられるものであり、
前記印付与欄は、顧客に来店日を指定する来店日指定表記、購入する商品を指定する商品指定表記などの指定表記が無い、顧客が指示する箇所に前記確認印が付与できるようにした指定無し印付与欄であることを特徴とするビンゴ型ポイントカードである。
【０００９】
＜請求項３記載の発明＞
前記印付与欄に、前記指定表記ではない印付与欄毎に異なる数字、文字、記号、絵柄などの選択表記が表記され、
前記確認印を付与される際に、顧客が前記選択表記を指示することによって、顧客の指示する箇所に前記確認印が付与できるようにしたことを特徴とする請求項１、２のいずれか１項に記載のビンゴ型ポイントカードである。
【００１０】
＜請求項４記載の発明＞
前記選択表記が数字、ひらがなの５０音字かカタカナの５０音字、あるいはαベッド文字のいずれかであることを特徴とする請求項３記載のビンゴ型ポイントカードである。
【００１１】
数字、ひらがなの５０音字あるいはカタカナの５０音字の配置形態は、順序良く配置する形態、順序は関係なくランダム（文字の中抜けもあり）に配置する形態、同じ数字、同じひらがな文字あるいは同じカタカナ文字が混在する配置形態、数字、ひらがなの５０音字、カタカナの５０音字が混在した配置形態などを技術的範疇に含むものである。
【００１２】
＜請求項５記載の発明＞
前記印付与欄が奇数の横列×該奇数の縦列であり、そのうちの前記ビンゴ部の中央に位置する中央欄は、予め前記確認印が付与されているものとして、何らかの表記がされているあるいは何らかの表記がされることを特徴とする請求項１〜４のいずれか１項に記載のビンゴ型ポイントカードである。
【００１３】
＜請求項６記載の発明＞
前記ビンゴ部が前記指定無し印付与欄と、顧客に来店日を指定する来店日指定表記がされた来店日指定印付与欄とが混在する形態とされ、前記来店日指定印付与欄の数が６か所以内であり、前記指定無し印付与欄＋前記来店日指定印付与欄＋前記確認印が予め付与されているものとした前記中央欄がある場合は該中央欄の合計が７か所以上であることを特徴とする請求項１〜５のいずれか１項に記載のビンゴ型ポイントカードである。
【００１４】
＜請求項７記載の発明＞
前記印付与欄に、前記確認印が予め付与済みであるとした扱いの印付与済み欄が設けられ、この印付与済み欄の数によって、一カ月の来店日数が７日〜１５日、あるいは一カ月の来店回数が７回〜１５回とし、前記７日〜１５日の来店日数あるいは前記７回〜１５回の来店回数によって、オールビンゴが達成可能としたことを特徴とする請求項１〜６のいずれか１項に記載のビンゴ型ポイントカードである。
【００１５】
「７日〜１５日」、「７回〜１５回」とは、「７、８、９、１０、１１、１２、１３、１４、１５」のいずれかの数である。
【発明の効果】
【００１６】
本願発明は次に述べるような効果を奏する。
＜請求項１記載の発明の効果＞
（１）指定無し印付与欄は、顧客に来店日を指定する来店日指定表記、購入する商品を指定する商品指定表記などの指定表記が無い、顧客が指示する箇所に前記確認印が付与できるようにした印付与欄であるので、例えば、来店して買い物をしたときに顧客が望む指定無し印付与欄に確認印を付与するという取り決めとすることがでる。
この取り決めによって、顧客は都合のよい日に来店してビンゴの成立数を増やすことができる、顧客自身の来店の自由な選択によるビンゴ成立計画が立てられるという機能を有するという効果を奏する。
（２）特売日、サービス日、イベント日などの特別日を、予めカレンダーに表記させておくことができるもので、そうすることで、顧客は特売日に行けるような来店計画（買い物計画）をたてることができ、また、カレンダーに予定を記入するなどして、顧客自身の裁量で計画的な買い物をたて易いとう効果を奏する。
（３）指定無し印付与欄が日付や購入を指定する商品を表記しないので、ビンゴ型ポイントカードを作成する側は、日日表記欄に表記する日日をいつにするのか、その配列をどのようにするのか、特売日等のイベントを含めて考える必要がなくなり、かつ、作成の時間が大幅に短縮でき、作成ミスが生じることがないという効果を奏する。
すなわち、ビンゴ部は常に変更なくそのまま翌月も使用できることを可能とするものである。
【００１７】
＜請求項２記載の発明の効果＞
ビンゴ部とカレンダー部を別体のカードとし、ビンゴカードにカレンダーカードを添付する構成としても、請求項１記載の発明と同様な効果を奏する。
【００１８】
＜請求項３記載の発明の効果＞
請求項１、２のいずれか１項に記載の発明と同様な効果を奏するとともに、
指定無し印付与欄に、指定表記ではない指定無し印付与欄毎に異なる数字、文字、記号、絵柄などの選択表記が表記されてなるものは、確認印を付与される際に、顧客が声でその選択表記を指示することが可能であり、顧客が声で指示する箇所に確認印が付与することで、確認印付与箇所間違いが生じ難くできる、顧客が前もって確認印を付与する箇所に印を付けなくてもよいという効果を奏する。
また、店舗側（例えばレジ係）でも、顧客が発声した選択表記を読み返して発声して確認することが可能であり、そうすることで付与箇所間違いが起きないようにすることができる。
【００１９】
＜請求項４記載の発明の効果＞
請求項３記載の発明と同様な効果を奏するとともに、
前記選択表記が数字、ひらがなの５０音字かカタカナの５０音字、あるいはαベッド文字のいずれかであるので、誰でもが読めて認識できるので、顧客がその数字なり文字なりを発声して指示し、それを店員が発声で確認してから、確認印を指示された箇所（指定無し印付与欄）に押印等で付与することができるので、確認印の付与箇所を間違えることが生じ難いという効果を奏する。
【００２０】
＜請求項５記載の発明の効果＞
請求項１、２、３のいずれか１項に記載の発明と同様な効果を奏するとともに、中央欄が予め確認印が付与された形態であるので、ビンゴが成立しやすくできるという効果を奏する。
【００２１】
＜請求項６記載の発明の効果＞
請求項１〜５のいずれか１項に記載に記載の発明と同様な効果を奏するとともに、
前記ビンゴ部が前記指定無し印付与欄と、顧客に来店日を指定する来店日指定表記がされた来店日指定印付与欄とが混在する形態とされ、前記来店日指定印付与欄の数が６か所以内であるものは、店舗側が特に顧客の来店を促進したい特売日などの日日を表記することにより、ビンゴを成立させたいという顧客の欲求、特売日でのお得な買い物ができるという顧客の期待・欲求という、２つの欲求を結びつけることによって、その特売日などへの顧客の来店意欲を鼓舞するこが期待できるとい効果を奏する。
また、特売日等の日日の６か所以内と少なくいので間違難く、その配置は適当でよいので配置ミスが生じない。
また、例えば、３横列×３縦列とした第１のビンゴ部と第２のビンゴ部を二つとした場合、指定無し印付与欄の数が１６−６以内＝１０か所以上ないし、中央欄を除く８か所以上であるので、顧客が来店できる日に来て買い物をして、指定無し印付与欄に確認印を付与してもらうことで、顧客自身の来店の自由な選択によるビンゴ成立計画が立てられるという機能は十分に確保される。
【００２２】
＜請求項７記載の発明の効果＞
請求項１〜６のいずれか１項に記載の発明と同様な効果を奏するとともに、
印付与済み欄の数によって、一カ月の来店日数が７日〜１５日、あるいは一カ月の来店回数が７回〜１５回となるようにし、この７日〜１５日の来店日数あるいは７回〜１５回の来店回数によって、オールビンゴが達成可能としているので、ビンゴ型ポイントカードの期限を一カ月の単位とすると、「７日〜１５日」とした場合では、月平均で略２日から略３日ごとに来店して買い物をすれば、オールビンゴを達成できることになる。
これによって、主に顧客に過度な来店日数あるいは過度な来店回数を強いらないようにでき、また、顧客がまとめ買いを行うことをし易くする。
【図面の簡単な説明】
【００２３】
【図１】本発明の実施例１の表面図（正面図）。
【図２】本発明の実施例２の表面図（正面図）。
【図３】本発明の実施例３の表面図（正面図）。
【図４】本発明の実施例３の表面図（正面図）。
【発明を実施するための形態】
【００２４】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２５】
図１に示す実施例１において１はビンゴ型ポイントカードであって、このンゴ型ポイントカード1は、紙製部材からなるカード本体２と、このカード本体２に表記された、顧客が買い物をした場合に確認印３が店舗側によって付与される印付与欄である指定無し印付与欄４が、３縦列×３横列の配列とされてなるビンゴ部５ａ、５ｂと、
前記カード本体２に設けられた、月の日日６と予定欄７が表記されてなるカレンダー部８と、を備えるとともに、
前記指定無し印付与欄４に付与された前記確認印３の縦列、横列、斜め列の揃いをビンゴの成立数として、該ビンゴの成立数に応じてポイントが与えられるものであり、
前記指定無し印付与欄４は、顧客に来店日を指定する来店日指定表記、購入する商品を指定する商品指定表記などの指定表記が無い（顧客に来店日や購入標品を強制しない）、顧客が指示する箇所（指定無し印付与欄４）に前記確認印３が付与できるようにした印付与欄であり、
前記指定無し印付与欄４に、前記指定表記ではない異なる数字である選択表記９が連番形態で表記され、
前記指定無し印付与欄４のうちの前記ビンゴ部５ａ、５ｂの中央に位置する中央欄１０は、予め前記確認印３が付与されているものとして、何らかの表記（ここでは「FREE」）がなされている。
【００２６】
前記指定無し印付与欄４の中央欄１０の「FREE」などの表記を行わずに、来店時に該中央欄１０に押印からなる確認印を無条件で付与するようにするのもよい。
指定無し印付与欄４は全くの空白欄とするのもよい。
【００２７】
例えば、顧客が来店して１０００円以上の買い物をした場合に、レジのときに顧客が指定する番号の指定無し印付与欄４に押印からなる確認印３を付与する。
確認印３の縦列、横列、斜め列の揃いをビンゴの成立数として、該ビンゴの成立数に応じてポイントが付与され、商品券、割引券、デジタルポイントカードへの加算などが行われる。
【００２８】
ビンゴ部５ｂの下方には、確認印が表記された日（図では確認印３のマークが表記された日）について、「確認印の日に、1000円以上の買い物には確認印を押印します。確認印３個以上でビンゴ欄に確認印１つ押印します。」というラッキースタンプの表記がされ、水曜市の６日、１３日、２０日、２７日と大特売日の２９日のうちの、３か所以上に確認印３の付与が達成されると、指定無し印付与欄４の好みの箇所に確認印３が、追加付与される決まりとしている。
【００２９】
顧客は、ビンゴ部の表記に拘束されることなく、カレンダー部８を見て、特売日、安売り日などと自らの予定を勘案し、買い物計画とビンゴ成立計画とを考慮して、来店・買い物計画を自由に立てることができ、来店日の記入、他の個人予定などをカレンダー部８に記入して使用することができる。
【００３０】
店舗側（カード作成側）は、左側のビンゴ部５ａの表記および周囲の表記は、月の日日に関する表記が一切ないので、年月表記を変えるだけで、他の表記を一切変えないでそのまま使用できるので、作成・チェックコストを軽減できる。
このように、年月表記のみを変えて、他の表記を変える必要な無い形態、例え、何らかの表記を変えたり、日日以外を追加したり、削除したりしても、日日の表記が無い形態であるので、ビンゴの成立への影響や、来店日促進の誤記となることが生じない。すなわち、作成ミスを起こさないものである。
右側のカレンダー部８の表記を新しい月のものに変え、そこに、新しい月の特売日などの予定を記入作成する。
【００３１】
カレンダー部８の右下部には、「確認印の付いている日の、1000円以上の買い物には、カレンダーに確認印を押印します。確認印３個以上でビンゴ欄に確認印１つプレゼントします。」という表記がされている。
【００３２】
カード本体２の形態は、四角形に限定されず、円形・楕円形形態、多角形形態、ハート形態、二つ折り三つ折りなどの折り畳み形態などの多様な形態が、本発明の技術的範疇に含まれるものである。
また、ビンゴ部の形態も、四角格子形態に限定されず、円、多角形、ハート形なの印付与欄が配列されているなどの多様な形態が、本発明の技術的範疇に含まれるものである。
また、カレンダー部とビンゴ部の配置箇所は、同一面に表記される形態に限定されず、例えば、一方は裏面に表記され、他方は表面に表記される、縦配置、横配置など多様な表記形態ないし配置形態が、本発明の技術的範疇に含まれるものである。
また、ビンゴ部は一つでも、二つでも、三つでも、四つ以上でもよく、その印付与欄の配列形態は３横列×３縦列、４横列×４縦列、５横列×５縦列でもよく、ビンゴ部が複数の場合は、異なる印付与欄の形態のビンゴ部の組み合わせとするのもよい。
【実施例２】
【００３３】
図２に示す実施例２において１５はビンゴ型ポイントカードであって、このビンゴ式ポイントカード１５は、
カード本体２と、
このカード本体２とは別体である別のカード本体１６と、
前記カード本体２に表記された、顧客が買い物をした場合に確認印３が店舗側によって付与される印付与欄が、３縦列×３横列以上の縦横同数の配列とされてなるビンゴ部５ａ、５ｂと、
前記別のカード本体１６に設けられた、月の日日６と予定欄７が表記されてなるカレンダー部８と、を備えるとともに、
前記印付与欄が指定無し印付与欄４と、顧客に来店日を指定する来店日指定表記がされた来店日指定印付与欄１８とが混在する形態とされ、来店日指定印付与欄１８の数が６か所以内である５か所とされ、指定無し印付与欄４が１６−５−２（中央欄１０）＝９か所としている。
ビンゴ部５ａ、５ｂが表記されたカード本体２でビンゴカードを形成している。
カレンダー部８が表記された別のカード本体１６でカレンダーを形成している。
【００３４】
９か所の指定無し印付与欄４には、適当なひらがな文字を表記している。
【００３５】
５か所の来店日指定印付与欄１８には、カレンダー部８に表記された水曜市、大特売日である買い得日の日日が表記され、ビンゴ成立と買い得日をコラボさせることによって、買い得日への顧客の来店意欲を鼓舞する仕掛けとなっている。
【実施例３】
【００３６】
図３に示す実施例３において前記実施例１と主に異なる点は、ビンゴ部５ａの指定無し印付与欄４には異なるカタカナ文字が夫々表記され、ビンゴ部５ｂの指定無し印付与欄４には異なるアラビア数字が夫々表記されてなるビンゴ型ポイントカード１９を形成した点にある。
【実施例４】
【００３７】
図４に示す実施例４において前記実施例１と主に異なる点は、ビンゴ部５ａ、５ｂのそれぞれの三つの印付与欄＝６か所を、予め確認印３が付与済みであるとした扱いの印付与済み欄２０としたビンゴ型ポイントカード２１を形成した点にある。
来店日数は「７日〜１５日」、あるいは来店回数は「７回〜１５回」とするのがよい。これは、店舗をよく利用するお得様顧客は２日から３日おきに来店していることによる。
「７日〜１５日」、「７回〜１５回」とは、「７、８、９、１０、１１、１２、１３、１４、１５」のいずれかの数である。
こうすることで、印付与済み欄２０の６か所と、中央欄１０の２か所の計８か所が予め確認印３が付与されていると同じ設定とされているので、指定無し印付与欄４は１８−８＝１０か所ということになる。
よって、この設定では、顧客は一カ月に１０日来店すればオールビンゴを獲得できることになるものである。
確認印３の付与は一日に一回のみとし、一日に何回来店しても確認印３は一回のみ付与される決まりとするのがよい。
【００３８】
これは、一カ月の来店日数を７日〜１５日、あるいは一カ月の来店回数を７回〜１５回にするためのものであり、主に顧客に過度な来店日数あるいは過度な来店回数を強いらないようにし、また、まとめ買いを行うことをし易くするためのものである。
【産業上の利用可能性】
【００３９】
本発明は、主にスーパーマーケット、百貨店、コンビニストアーなどの店舗で利用される。
【符号の説明】
【００４０】
１：ビンゴ型ポイントカード、
２：カード本体、
３：確認印、
４：指定無し印付与欄、
５ａ、５ｂ：ビンゴ部、
６：月の日日、
７：予定欄、
８：カレンダー部、
９：選択表記、
１０：中央欄、
１５：ビンゴ型ポイントカード、
１６：別のカード本体、
１８：来店日指定印付与欄、
１９：ビンゴ型ポイントカード、
２０：印付与済み欄、
２１：ビンゴ型ポイントカード。
【図１】
2015074220.tif 000003
【図２】
2015074220.tif 000004
【図３】
2015074220.tif 000005
【図４】
2015074220.tif 000006
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
カード本体と、
このカード本体に表記された、顧客が買い物をした場合に確認印が店舗側によって付与される、顧客に来店日を指定する来店日指定表記、購入する商品を指定する商品指定表記などの顧客に来店日や購入商品を強制する指定表記の表記が無い指定無し印付与欄が、２横列×２縦列以上で配列されてなるビンゴ部と、
前記カード本体に設けられた、あるいは該カード本体とは別体である別のカード本体に設けられた、月の日日が表記されたなるカレンダー部と、を備えるとともに、
前記指定無し印付与欄に付与された前記確認印の縦列、横列、斜め列の揃いをビンゴの成立数として、該ビンゴの成立数に応じてポイントが与えられるものであり、
前記指定無し印付与欄は、顧客が指示する箇所に前記確認印が付与できるようにした指定無し印付与欄であることを特徴とするビンゴ型ポイントカード。
【請求項２】
前記指定無し印付与欄毎に、前記指定表記ではない異なる数字、文字、記号、絵柄などの選択表記が表記され、
前記確認印を付与される際に、顧客が前記選択表記を指示することによって、顧客の指示する前記選択表記箇所に前記確認印が付与できるようにしたことを特徴とする請求項１に記載のビンゴ型ポイントカード。
【請求項３】
前記選択表記が数字、ひらがなの５０音字かカタカナの５０音字、あるいはアルファベッド文字のいずれかであることを特徴とする請求項２記載のビンゴ型ポイントカード。
【請求項４】
前記指定無し印付与欄が奇数の横列×該奇数の縦列であり、そのうちの前記ビンゴ部の中央に位置する中央欄は、予め前記確認印が付与されているものとして、何らかの表記がされているあるいは何らかの表記がされることを特徴とする請求項１〜３のいずれか１項に記載のビンゴ型ポイントカード。
【請求項５】
前記指定無し印付与欄に、前記確認印が予め付与済みであるとした扱いの印付与済み欄が設けられ、この印付与済み欄の数によって、一カ月の来店日数が７日〜１５日、あるいは一カ月の来店回数が７回〜１５回とし、前記７日〜１５日の来店日数あるいは前記７回〜１５回の来店回数によって、オールビンゴが達成可能としたことを特徴とする請求項１〜４のいずれか１項に記載のビンゴ型ポイントカード。
【請求項６】
請求項１〜５のいずれか１項に記載の発明において、前記カレンダー部および前記別のカード本体を設けない形態であり、かつ、前記カード本体に前記ビンゴ部を設けた形態であることを特徴とするビンゴ型ポイントカード。
【手続補正２】
【補正対象書類名】明細書
【補正対象項目名】全文
【補正方法】変更
【補正の内容】
【発明の詳細な説明】
【技術分野】
【０００１】
本発明は、店舗で買い物をした商品購入者（顧客）がレジ等で提示して、来店購入確認欄に押印などの来店購入確認印を店側から記してもらい、来店購入確認印で取得された横列、縦列、斜め列のビンゴの成立数に応じてポイント数を獲得するないし付与する使用態様のビンゴゲーム式ポイントカードに関する。
【背景技術】
【０００２】
従来のビンゴゲーム式ポイントカードとして、二つ折のカード本体と、このカード本体の一方の側に表示された、３横列×３縦列のマトリックス形態の配列とされた、９個の日日が表記された表記欄からなる、第１の日日表記欄群と第２の日日表記欄群を有し、カード本体の他方の側にその月のカレンダーが表記され、このカレンダーの日日で第１の日日表記欄群と第２の日日表記欄群に表記されている日日である箇所には、それを示すマークが表記され、特売日には「〇〇特売日」というような表記がされている、ビンゴゲーム式ポイントカードが知られている。（例えば、特許文献１）
【先行技術文献】
【特許文献】
【０００３】
【特許文献１】特開２０１３−１４４４５５号公報
【発明の概要】
【発明が解決しようとする課題】
【０００４】
前述した特許文献１の発明は、以下に述べるような欠点を有するものであった。
（１）第１の日日表記欄群、第２の日日表記欄群の日日表記欄に日日が表記されているので、その日日の日に店舗に来店して買い物をしなければ、その日日表記欄に押し印をもらえないので、どうしても都合の付かない人、忘れた人などはビンゴが成立しないという、悔しい思いをさせてしまうという欠点を有していた。
（２）ビンゴを成立させるためには、予定や行動計画を日日表記欄の日日を最優先させなければならず、日日の予定、週の予定、月の予定が立て難いという欠点を有するものであった。
（３）ビンゴゲーム式ポイントカードを作成する側は、日日表記欄に表記する日日をいつのするのか、その配列をどのようにするのか、特売日等の店舗のイベントを含めて考えなければならず、作成に時間とコストがかかり、また作成に当たってミスが生じる危険があるという欠点を有するものであった。
【０００５】
本発明は以上のような従来技術の欠点に鑑み、来店日を顧客が自由に選択することができ、かつ、店舗の特売日などの広告等が分かり、顧客自らが来店予定を立てることができ、作成側の作成時間と作成コストを大幅に軽減し、作成にあたってミスが生じ難いビンゴゲーム式ポイントカードを提供することを目的としている。
【課題を解決するための手段】
【０００６】
上記目的を達成するために、本発明は次のような構成となっている。
＜請求項１記載の発明＞
カード本体と、
このカード本体に表記された、顧客が買い物をした場合に確認印が店舗側によって付与される、顧客に来店日を指定する来店日指定表記、購入する商品を指定する商品指定表記などの顧客に来店日や購入商品を強制する指定表記の表記が無い指定無し印付与欄が、２横列×２縦列以上で配列されてなるビンゴ部と、
前記カード本体に設けられた、あるいは該カード本体とは別体である別のカード本体に設けられた、月の日日が表記されたなるカレンダー部と、を備えるとともに、
前記指定無し印付与欄に付与された前記確認印の縦列、横列、斜め列の揃いをビンゴの成立数として、該ビンゴの成立数に応じてポイントが与えられるものであり、
前記指定無し印付与欄は、顧客が指示する箇所に前記確認印が付与できるようにした指定無し印付与欄であることを特徴とするビンゴ型ポイントカードである。
【０００７】
「確認印・・・付与」とは、ゴム印などの押印、手によるサイン、プリンターなどの印刷、穿孔印、プレスにより凸凹に変形させる凸凹印、ワッペンなどの貼付け付与など多様形態のものを含むものである。
「指定無し印付与欄」は、表記の無い空白欄でもよいし、顧客に来店日を指定する来店日指定表記、購入する商品を指定する商品指定表記などの指定表記ではない、何らかの文字、記号、図・絵柄、模様などが表記されてなるものでもよい。
【０００８】
【０００９】
＜請求項２記載の発明＞
前記指定無し印付与欄毎に、前記指定表記ではない異なる数字、文字、記号、絵柄などの選択表記が表記され、
前記確認印を付与される際に、顧客が前記選択表記を指示することによって、顧客の指示する前記選択表記箇所に前記確認印が付与できるようにしたことを特徴とする請求項１に記載のビンゴ型ポイントカードである。
【００１０】
＜請求項３の発明＞
前記選択表記が数字、ひらがなの５０音字かカタカナの５０音字、あるいはアルファベッド文字のいずれかであることを特徴とする請求項２記載のビンゴ型ポイントカードである。
【００１１】
数字、ひらがなの５０音字あるいはカタカナの５０音字の配置形態は、順序良く配置する形態、順序は関係なくランダム（文字の中抜けもあり）に配置する形態、同じ数字、同じひらがな文字あるいは同じカタカナ文字が混在する配置形態、数字、ひらがなの５０音字、カタカナの５０音字が混在した配置形態などを技術的範疇に含むものである。
【００１２】
＜請求項４記載の発明＞
前記指定無し印付与欄が奇数の横列×該奇数の縦列であり、そのうちの前記ビンゴ部の中央に位置する中央欄は、予め前記確認印が付与されているものとして、何らかの表記がされているあるいは何らかの表記がされることを特徴とする請求項１〜３のいずれか１項に記載のビンゴ型ポイントカードである。
【００１３】
＜請求項５記載の発明＞
前記指定無し印付与欄に、前記確認印が予め付与済みであるとした扱いの印付与済み欄が設けられ、この印付与済み欄の数によって、一カ月の来店日数が７日〜１５日、あるいは一カ月の来店回数が７回〜１５回とし、前記７日〜１５日の来店日数あるいは前記７回〜１５回の来店回数によって、オールビンゴが達成可能としたことを特徴とする請求項１〜４のいずれか１項に記載のビンゴ型ポイントカードである。
【００１４】
＜請求項６記載の発明＞
請求項１〜５のいずれか１項に記載の発明において、前記カレンダー部および前記別のカード本体を設けない形態であり、かつ、前記カード本体に前記ビンゴ部を設けた形態であることを特徴とするビンゴ型ポイントカードである。
【００１５】
「７日〜１５日」、「７回〜１５回」とは、「７、８、９、１０、１１、１２、１３、１４、１５」のいずれかの数である。
【発明の効果】
【００１６】
本願発明は次に述べるような効果を奏する。
＜請求項１記載の発明の効果＞
（１）指定無し印付与欄は、顧客に来店日を指定する来店日指定表記、購入する商品を指定する商品指定表記などの指定表記が無い、顧客が指示する箇所に前記確認印が付与できるようにした印付与欄であるので、例えば、来店して買い物をしたときに顧客が望む指定無し印付与欄に確認印を付与するという取り決めとすることがでる。
この取り決めによって、顧客は都合のよい日に来店してビンゴの成立数を増やすことができる、顧客自身の来店の自由な選択によるビンゴ成立計画が立てられるという機能を有するという効果を奏する。
（２）特売日、サービス日、イベント日などの特別日を、予めカレンダーに表記させておくことができるもので、そうすることで、顧客は特売日に行けるような来店計画（買い物計画）をたてることができ、また、カレンダーに予定を記入するなどして、顧客自身の裁量で計画的な買い物をたて易いとう効果を奏する。
（３）指定無し印付与欄が日付や購入を指定する商品を表記しないので、ビンゴ型ポイントカードを作成する側は、日日表記欄に表記する日日をいつにするのか、その配列をどのようにするのか、特売日等のイベントを含めて考える必要がなくなり、かつ、作成の時間が大幅に短縮でき、作成ミスが生じることがないという効果を奏する。
すなわち、ビンゴ部は常に変更なくそのまま翌月も使用できることを可能とするものである。
【００１７】
【００１８】
＜請求項２記載の発明の効果＞
請求項１記載の発明と同様な効果を奏するとともに、
指定無し印付与欄に、指定表記ではない指定無し印付与欄毎に異なる数字、文字、記号、絵柄などの選択表記が表記されてなるものは、確認印を付与される際に、顧客が声でその選択表記を指示することが可能であり、顧客が声で指示する箇所に確認印が付与することで、確認印付与箇所間違いが生じ難くできる、顧客が前もって確認印を付与する箇所に印を付けなくてもよいという効果を奏する。
また、店舗側（例えばレジ係）でも、顧客が発声した選択表記を読み返して発声して確認することが可能であり、そうすることで付与箇所間違いが起きないようにすることができる。
【００１９】
＜請求項３記載の発明の効果＞
請求項２記載の発明と同様な効果を奏するとともに、
前記選択表記が数字、ひらがなの５０音字かカタカナの５０音字、あるいはアルファベッド文字のいずれかであるので、誰でもが読めて認識できるので、顧客がその数字なり文字なりを発声して指示し、それを店員が発声で確認してから、確認印を指示された箇所（指定無し印付与欄）に押印等で付与することができるので、確認印の付与箇所を間違えることが生じ難いという効果を奏する。
【００２０】
＜請求項４記載の発明の効果＞
請求項１、２、３のいずれか１項に記載の発明と同様な効果を奏するとともに、中央欄が予め確認印が付与された形態であるので、ビンゴが成立しやすくできるという効果を奏する。
【００２１】
＜請求項６記載の発明の効果＞
請求項１〜５のいずれか１項に記載の発明において、前記カレンダー部および前記別のカード本体を設けない形態であり、かつ、前記カード本体に前記ビンゴ部を設けた形態であることを特徴とするビンゴ型ポイントカードである。
【００２２】
＜請求項５記載の発明の効果＞
請求項１〜４のいずれか１項に記載の発明と同様な効果を奏するとともに、
印付与済み欄の数によって、一カ月の来店日数が７日〜１５日、あるいは一カ月の来店回数が７回〜１５回となるようにし、この７日〜１５日の来店日数あるいは７回〜１５回の来店回数によって、オールビンゴが達成可能としているので、ビンゴ型ポイントカードの期限を一カ月の単位とすると、「７日〜１５日」とした場合では、月平均で略２日から略３日ごとに来店して買い物をすれば、オールビンゴを達成できることになる。
これによって、主に顧客に過度な来店日数あるいは過度な来店回数を強いらないようにでき、また、顧客がまとめ買いを行うことをし易くする。
【図面の簡単な説明】
【００２３】
【図１】本発明の実施例１の表面図（正面図）。
【図２】本発明の実施例２の表面図（正面図）。
【図３】本発明の実施例３の表面図（正面図）。
【図４】本発明の実施例３の表面図（正面図）。
【発明を実施するための形態】
【００２４】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２５】
図１に示す実施例１において１はビンゴ型ポイントカードであって、このンゴ型ポイントカード1は、紙製部材からなるカード本体２と、このカード本体２に表記された、顧客が買い物をした場合に確認印３が店舗側によって付与される印付与欄である指定無し印付与欄４が、３縦列×３横列の配列とされてなるビンゴ部５ａ、５ｂと、
前記カード本体２に設けられた、月の日日６と予定欄７が表記されてなるカレンダー部８と、を備えるとともに、
前記指定無し印付与欄４に付与された前記確認印３の縦列、横列、斜め列の揃いをビンゴの成立数として、該ビンゴの成立数に応じてポイントが与えられるものであり、
前記指定無し印付与欄４は、顧客に来店日を指定する来店日指定表記、購入する商品を指定する商品指定表記などの指定表記が無い（顧客に来店日や購入商品を強制しない）、顧客が指示する箇所（指定無し印付与欄４）に前記確認印３が付与できるようにした印付与欄であり、
前記指定無し印付与欄４に、前記指定表記ではない異なる数字である選択表記９が連番形態で表記され、
前記指定無し印付与欄４のうちの前記ビンゴ部５ａ、５ｂの中央に位置する中央欄１０は、予め前記確認印３が付与されているものとして、何らかの表記（ここでは「FREE」）がなされている。
【００２６】
前記指定無し印付与欄４の中央欄１０の「FREE」などの表記を行わずに、来店時に該中央欄１０に押印からなる確認印を無条件で付与するようにするのもよい。
指定無し印付与欄４は全くの空白欄とするのもよい。
【００２７】
例えば、顧客が来店して１０００円以上の買い物をした場合に、レジのときに顧客が指定する番号の指定無し印付与欄４に押印からなる確認印３を付与する。
確認印３の縦列、横列、斜め列の揃いをビンゴの成立数として、該ビンゴの成立数に応じてポイントが付与され、商品券、割引券、デジタルポイントカードへの加算などが行われる。
【００２８】
ビンゴ部５ｂの下方には、確認印が表記された日（図では確認印３のマークが表記された日）について、「確認印の日に、1000円以上の買い物には確認印を押印します。確認印３個以上でビンゴ欄に確認印１つ押印します。」というラッキースタンプの表記がされ、水曜市の６日、１３日、２０日、２７日と大特売日の２９日のうちの、３か所以上に確認印３の付与が達成されると、指定無し印付与欄４の好みの箇所に確認印３が、追加付与される決まりとしている。
【００２９】
顧客は、ビンゴ部の表記に拘束されることなく、カレンダー部８を見て、特売日、安売り日などと自らの予定を勘案し、買い物計画とビンゴ成立計画とを考慮して、来店・買い物計画を自由に立てることができ、来店日の記入、他の個人予定などをカレンダー部８に記入して使用することができる。
【００３０】
店舗側（カード作成側）は、左側のビンゴ部５ａの表記および周囲の表記は、月の日日に関する表記が一切ないので、年月表記を変えるだけで、他の表記を一切変えないでそのまま使用できるので、作成・チェックコストを軽減できる。
このように、年月表記のみを変えて、他の表記を変える必要な無い形態、例え、何らかの表記を変えたり、日日以外を追加したり、削除したりしても、日日の表記が無い形態であるので、ビンゴの成立への影響や、来店日促進の誤記となることが生じない。すなわち、作成ミスを起こさないものである。
右側のカレンダー部８の表記を新しい月のものに変え、そこに、新しい月の特売日などの予定を記入作成する。
【００３１】
カレンダー部８の右下部には、「確認印の付いている日の、1000円以上の買い物には、カレンダーに確認印を押印します。確認印３個以上でビンゴ欄に確認印１つプレゼントします。」という表記がされている。
【００３２】
カード本体２の形態は、四角形に限定されず、円形・楕円形形態、多角形形態、ハート形態、二つ折り三つ折りなどの折り畳み形態などの多様な形態が、本発明の技術的範疇に含まれるものである。
また、ビンゴ部の形態も、四角格子形態に限定されず、円、多角形、ハート形なの印付与欄が配列されているなどの多様な形態が、本発明の技術的範疇に含まれるものである。
また、カレンダー部とビンゴ部の配置箇所は、同一面に表記される形態に限定されず、例えば、一方は裏面に表記され、他方は表面に表記される、縦配置、横配置など多様な表記形態ないし配置形態が、本発明の技術的範疇に含まれるものである。
また、ビンゴ部は一つでも、二つでも、三つでも、四つ以上でもよく、その印付与欄の配列形態は３横列×３縦列、４横列×４縦列、５横列×５縦列でもよく、ビンゴ部が複数の場合は、異なる印付与欄の形態のビンゴ部の組み合わせとするのもよい。
【実施例２】
【００３３】
図２に示す実施例２において１５はビンゴ型ポイントカードであって、このビンゴ式ポイントカード１５は、
カード本体２と、
このカード本体２とは別体である別のカード本体１６と、
前記カード本体２に表記された、顧客が買い物をした場合に確認印３が店舗側によって付与される印付与欄が、３縦列×３横列以上の縦横同数の配列とされてなるビンゴ部５ａ、５ｂと、
前記別のカード本体１６に設けられた、月の日日６と予定欄７が表記されてなるカレンダー部８と、を備えるとともに、
前記印付与欄が指定無し印付与欄４と、顧客に来店日を指定する来店日指定表記がされた来店日指定印付与欄１８とが混在する形態とされ、来店日指定印付与欄１８の数が６か所以内である５か所とされ、指定無し印付与欄４が１６−５−２（中央欄１０）＝９か所としている。
ビンゴ部５ａ、５ｂが表記されたカード本体２でビンゴカードを形成している。
カレンダー部８が表記された別のカード本体１６でカレンダーを形成している。
【００３４】
９か所の指定無し印付与欄４には、適当なひらがな文字を表記している。
【００３５】
５か所の来店日指定印付与欄１８には、カレンダー部８に表記された水曜市、大特売日である買い得日の日日が表記され、ビンゴ成立と買い得日をコラボさせることによって、買い得日への顧客の来店意欲を鼓舞する仕掛けとなっている。
【実施例３】
【００３６】
図３に示す実施例３において前記実施例１と主に異なる点は、ビンゴ部５ａの指定無し印付与欄４には異なるカタカナ文字が夫々表記され、ビンゴ部５ｂの指定無し印付与欄４には異なるアラビア数字が夫々表記されてなるビンゴ型ポイントカード１９を形成した点にある。
【実施例４】
【００３７】
図４に示す実施例４において前記実施例１と主に異なる点は、ビンゴ部５ａ、５ｂのそれぞれの三つの印付与欄＝６か所を、予め確認印３が付与済みであるとした扱いの印付与済み欄２０としたビンゴ型ポイントカード２１を形成した点にある。
来店日数は「７日〜１５日」、あるいは来店回数は「７回〜１５回」とするのがよい。これは、店舗をよく利用するお得様顧客は２日から３日おきに来店していることによる。
「７日〜１５日」、「７回〜１５回」とは、「７、８、９、１０、１１、１２、１３、１４、１５」のいずれかの数である。
こうすることで、印付与済み欄２０の６か所と、中央欄１０の２か所の計８か所が予め確認印３が付与されていると同じ設定とされているので、指定無し印付与欄４は１８−８＝１０か所ということになる。
よって、この設定では、顧客は一カ月に１０日来店すればオールビンゴを獲得できることになるものである。
確認印３の付与は一日に一回のみとし、一日に何回来店しても確認印３は一回のみ付与される決まりとするのがよい。
【００３８】
これは、一カ月の来店日数を７日〜１５日、あるいは一カ月の来店回数を７回〜１５回にするためのものであり、主に顧客に過度な来店日数あるいは過度な来店回数を強いらないようにし、また、まとめ買いを行うことをし易くするためのものである。
【産業上の利用可能性】
【００３９】
本発明は、主にスーパーマーケット、百貨店、コンビニストアーなどの店舗で利用される。
【符号の説明】
【００４０】
１：ビンゴ型ポイントカード、
２：カード本体、
３：確認印、
４：指定無し印付与欄、
５ａ、５ｂ：ビンゴ部、
６：月の日日、
７：予定欄、
８：カレンダー部、
９：選択表記、
１０：中央欄、
１５：ビンゴ型ポイントカード、
１６：別のカード本体、
１８：来店日指定印付与欄、
１９：ビンゴ型ポイントカード、
２０：印付与済み欄、
２１：ビンゴ型ポイントカード。